(57)【要約】      （修正有）【課題】簡単な構成で、接続接点を保護し、カメラボディ側の接点部と容易に接続可能とする。【解決手段】レンズユニット４は、カメラボディ３のボディ側マウント部１１に着脱自在である。レンズユニット４には、バヨネット爪９ａ〜ｂ、保護カバー１０が設けられている。保護カバー１０は、バヨネット爪９ａ〜ｂに設けられた接点部を覆い隠す閉じ位置及び接点部を露呈させる開放位置との間で回動自在となっている。カメラボディ３には、ボディ側マウント部１１が設けられており、ボディ側マウント部１１のバヨネット爪１２ａ〜ｂにレンズユニット４のバヨネット爪９ａ〜ｂを合わせて挿入すると保護カバー１０がカメラボディ３の内部と係合し、この係合状態を保ったままレンズユニット４を回転すると保護カバー１０が開放位置に移動して接点部が露呈してカメラボディ３の接点部と接続される。【選択図】図２
2007286201.tif 000002
【特許請求の範囲】
【請求項１】
撮影レンズを内蔵し、カメラボディに対して着脱自在に取り付けられ、前記カメラボディに設けられたボディ側接点部と接触して電気信号を授受するためのレンズ側接点部が一体に設けられたレンズユニットにおいて、
前記レンズ側接点部を覆い隠す閉じ位置と、前記レンズ側接点部を露呈させる開放位置との間で移動自在に取り付けられた保護カバーを設けたことを特徴とするレンズユニット。
【請求項２】
撮像素子を内蔵することを特徴とする請求項１記載のレンズユニット。
【請求項３】
前記保護カバーを前記閉じ位置側に付勢する付勢部材を備えることを特徴とする請求項１または２記載のレンズユニット。
【請求項４】
非装着時には前記保護カバーを前記閉じ位置にロックし、前記カメラボディへの装着時に前記保護カバーのロックを解除して前記閉じ位置から前記開放位置への移動を許容するロック機構を備えることを特徴とする請求項１ないし３いずれか記載のレンズユニット。
【請求項５】
前記ロック機構は、前記保護カバーから突出する突出位置と、前記保護カバーの内側に退避する退避位置との間で移動自在に取り付けられ、前記突出位置で前記保護カバーを係止して前記閉じ位置にロックし、前記退避位置で保護カバーの係止を解除するロック部材と、このロック部材を前記突出位置へ付勢する付勢部材とからなり、前記カメラボディへの装着時にカメラボディの内部と当接して押し込まれることによって、前記付勢部材の付勢に抗して前記前記ロック部材が前記退避位置に移動して前記保護カバーのロックが解除されることを特徴とする請求項４記載のレンズユニット。
【請求項６】
前記保護カバーを前記開放位置及び前記閉じ位置としたときにクリック感を生じるクリック機構を備えることを特徴とする請求項１ないし５記載のレンズユニット。
【請求項７】
前記保護カバーは、閉じ位置となっているときに前記レンズ側接点部に接触し、保護カバーを移動させるときに前記レンズ側接点部に対して摺動する接触部を一体に設けたことを特徴とする請求項１ないし６いずれか記載のレンズユニット。
【請求項８】
前記保護カバーと前記カメラボディとの接触面に、前記レンズ側接点部とは異なる第２の接点部を設けており、前記カメラボディへの装着時に前記第２の接点部がカメラボディと接触して電気的に接続されることを特徴とする請求項１ないし７いずれか記載のレンズユニット。
【請求項９】
前記第２の接点部は、前記レンズ側接点部が実装される基板のグラウンドパターンと接続されるグラウンド接点部であり、前記カメラボディへの装着時に前記レンズ側接点部より先に前記カメラボディと接触する位置に配されていることを特徴とする請求項８記載のレンズユニット。
【請求項１０】
請求項１ないし９記載のレンズユニットと、その内部へ前記レンズ側マウント部を挿入する挿入動作の後、前記レンズユニットを所定角度回転させる回転動作を行うことによって前記レンズユニットと結合するボディ側マウント部を備えたカメラボディとからなり、前記ボディ側マウント部は、その内部に前記保護カバーと係合する係合部を有しており、前記挿入動作のとき、前記係合部に前記保護カバーが係合され、前記回転動作を行うときに前記係合部と係合した前記保護カバーの回転が規制されることにより前記保護カバーが閉じ位置から開放位置となって、前記レンズ側接点部が露呈して前記ボディ側接点部と接触することを特徴とするカメラシステム。
【請求項１１】
前記ボディ側マウント部は、前記レンズユニットの挿入動作を行うときに、前記レンズユニットの挿入方向を中心とする周方向に対して前記レンズユニットを位置決めする位置決め部を備えることを特徴とする請求項１０記載のカメラシステム。
【請求項１２】
前記ボディ側マウント部は、前記レンズユニットの挿入動作を行うときに、前記レンズユニットを挿入方向に合わせるように誘い込んで位置決めするテーパー部を備えることを特徴とする請求項１１記載のカメラシステム。
【発明の詳細な説明】
【技術分野】
【０００１】
本発明は、レンズユニットと、このレンズユニットをカメラボディに装着可能なカメラシステムに関するものである。
【背景技術】
【０００２】
各種撮影レンズがカメラボディに着脱可能に装着されるレンズ交換型のカメラ（例えば、特許文献１）が従来より知られている。このレンズ交換型のカメラで、カメラボディに交換レンズを着脱自在に装着する構造としては、交換レンズ及びカメラボディにバヨネット爪を有するマウントをそれぞれ設け、交換レンズ側のマウントをカメラボディ側のマウントに所定位置で接触させ、その接触状態を保ったまま交換レンズを所定の角度位置まで回転させて互いのバヨネット爪を噛み合わせ、その位置で交換レンズをロックして装着状態にする構成が一般的である。
【０００３】
ところで、最近では、撮像素子の低価格化、画素数の増加が進んできていることから、従来の銀塩フイルム用のレンズ交換型カメラに代わって、レンズ交換型のデジタルカメラが普及してきている。このレンズ交換型のデジタルカメラでは、撮影レンズで結像した被写体像をＣＣＤなどの撮像素子で画像データに変換し、内蔵メモリやメモリカードなどの記録媒体に記録する。
【０００４】
このレンズ交換型のデジタルカメラでは、銀塩フイルム用の既存システムを流用したものではなく、レンズ交換型のデジタルカメラの新しい構成として、撮像素子を交換レンズ側に組み込むことが検討されている。これによって、交換レンズとカメラボディとを光学的に接続する必要がなくなり、交換レンズ側とカメラボディ側とを電気的に接続させるだけでよいため、構造を比較的簡易にすることができるという利点を得ることができる。
【０００５】
一方、レンズ交換型のデジタルカメラでは、電気的な接続を行い、電気信号の授受を可能とするために、レンズユニットのマウント後端部と、カメラボディのマウント内部にそれぞれ接続端子を設けており、レンズユニットのカメラボディへの装着時にそれぞれの接続端子が互いに接触する。このような接続端子は、レンズユニットまたはカメラの不使用時には、傷が付かないように保護する必要があり、従来のレンズ交換型のカメラでは、着脱自在に形成された保護キャップをレンズユニット又はカメラボディのマウントに被せるようにして取り付けて接続端子を保護していた。さらに、特許文献１記載のカメラではマウント部及び接点部を保護するバリア装置を設けており、不使用時にはバリア装置を閉じ状態にしている。また、特許文献２記載のカメラでは、接点を保護する保護カバーを設けており、交換レンズの挿入時に保護カバーが退避することで接点が露呈し、本体側と接続可能となっている。
【特許文献１】特開２００５−３１６４３８号公報
【特許文献２】特開２０００−１７１７２４号公報
【発明の開示】
【発明が解決しようとする課題】
【０００６】
しかしながら、従来のレンズ交換型のデジタルカメラ又はカメラのように、着脱式の保護キャップを備える場合、レンズユニットの使用時には取り外さなければならないため、保護キャップを紛失してしまうおそれがある。また、交換用のレンズユニットが複数ある場合には保護キャップとレンズユニットの組み合わせが分からなくなってしまうこともある。さらに、上記特許文献１では、カメラボディの接点部を保護する構成については記載されているが、レンズユニットの接点を保護する構成については考慮されていない。また、特許文献２では、コネクタ本体の接点部に保護カバーが設けられているが、コネクタ本体の挿入方向に沿って保護カバーが退避する構成となっており、この保護カバーが退避するスペースを確保するためにコネクタ周辺のコンパクト化を妨げてしまう。
【０００７】
本発明は、上記事情を考慮してなされたもので、簡単な構成で、接続端子を保護する保護部材を取り外すことなく、カメラボディと接続することが可能なレンズユニット及びカメラシステムを提供することを目的とする。
【課題を解決するための手段】
【０００８】
本発明のレンズユニットは、撮影レンズを内蔵し、カメラボディに対して着脱自在に取り付けられ、前記カメラボディに設けられたボディ側接点部と接触して電気信号を授受するためのレンズ側接点部が一体に設けられたレンズユニットにおいて、前記レンズ側接点部を覆い隠す閉じ位置と、前記レンズ側接点部を露呈させる開放位置との間で移動自在に取り付けられた保護カバーを設けたことを特徴とする。なお、撮像素子を内蔵するレンズユニットであることが好ましい。
【０００９】
前記保護カバーを前記閉じ位置側に付勢する付勢部材を備えることが好ましい。また、非装着時には前記保護カバーを前記閉じ位置にロックし、前記カメラボディへの装着時に前記保護カバーのロックを解除して前記閉じ位置から前記開放位置への移動を許容するロック機構を備えることが好ましい。さらにまた、前記ロック機構は、前記保護カバーから突出する突出位置と、前記保護カバーの内側に退避する退避位置との間で移動自在に取り付けられ、前記突出位置で前記保護カバーを係止して前記閉じ位置にロックし、前記退避位置で保護カバーの係止を解除するロック部材と、このロック部材を前記突出位置へ付勢する付勢部材とからなり、前記カメラボディへの装着時にカメラボディの内部と当接して押し込まれることによって、前記付勢部材の付勢に抗して前記前記ロック部材が前記退避位置に移動して前記保護カバーのロックが解除されることが好ましい。あるいは、前記保護カバーを前記開放位置及び前記閉じ位置としたときにクリック感を生じるクリック機構を備えることも効果的である。
【００１０】
閉じ位置となっているときに前記レンズ側接点部に接触し、保護カバーを移動させるときに前記レンズ側接点部に対して摺動する接触部を前記保護カバーと一体に設けることが好ましい。また、前記保護カバーと前記カメラボディとの接触面に、前記レンズ側接点部とは異なる第２の接点部を設けており、前記カメラボディへの装着時に前記第２の接点部がカメラボディと接触して電気的に接続されることが好ましい。さらにまた、前記第２の接点部は、前記レンズ側接点部が実装される基板のグラウンドパターンと接続されるグラウンド接点部であり、前記カメラボディへの装着時に前記レンズ側接点部より先に前記カメラボディと接触する位置に配されていることが好ましい。
【００１１】
請求項１０記載のカメラシステムは、請求項１ないし９記載のレンズユニットと、その内部へ前記レンズ側マウント部を挿入する挿入動作の後、前記レンズユニットを所定角度回転させる回転動作を行うことによって前記レンズユニットと結合するボディ側マウント部を備えたカメラボディとからなり、前記ボディ側マウント部は、その内部に前記保護カバーと係合する係合部を有しており、前記挿入動作のとき、前記係合部に前記保護カバーが係合され、前記回転動作を行うときに前記係合部と係合した前記保護カバーの回転が規制されることにより前記保護カバーが閉じ位置から開放位置となって、前記レンズ側接点部が露呈して前記ボディ側接点部と接触することを特徴とする。なお、前記ボディ側マウント部は、前記レンズユニットの挿入動作を行うときに、前記レンズユニットの挿入方向を中心とする周方向に対して前記レンズユニットを位置決めする位置決め部を備えることが好ましい。また、前記ボディ側マウント部は、前記レンズユニットの挿入動作を行うときに、前記レンズユニットを挿入方向に沿って誘い込んで位置決めするテーパー部を備えることが好ましい。
【発明の効果】
【００１２】
本発明のレンズユニットでは、レンズ側接点部を覆い隠す閉じ位置と、レンズ側接点部を露呈させる開放位置との間で移動自在に取り付けられた保護カバーを設けているので、カメラボディへの装着時には、保護カバーを取り外す必要がなく、保護カバーを開放位置にすることでカメラボディと接続することができ、非装着時には、保護カバーを閉じ位置にすることでレンズ側接点部を保護することができる、さらに、保護カバーを取り外すことなく、カメラボディと接続することができるから、保護カバーを紛失することがない。
【００１３】
また、本発明のカメラシステムでは、レンズユニットをボディ側マウント部に挿入する挿入動作のとき、ボディ側マウント部に備えた係合部に保護カバーが係合し、レンズユニットの回転動作を行うときに係合部と係合した保護カバーの回転が規制されることにより保護カバーが閉じ位置から開放位置となって、レンズ側接点部が露呈してボディ側接点部と接触するので、簡単な構成で、保護カバーを取り外すことなく、レンズユニットとカメラボディとを接続することができる。
【発明を実施するための最良の形態】
【００１４】
以下、図面を参照して本発明の第１の実施形態を適用したデジタルカメラについて説明する。図１及び図２に示すように、デジタルカメラ２は、カメラボディ３とレンズユニット４とから構成される。カメラボディ３にはレンズユニット４が着脱自在であり、装着時にはカメラボディ３とレンズユニット４とが電気的に接続される。なお、図１は、レンズユニット４をカメラボディ３に装着した状態を、図２は、レンズユニット４を取り外した状態を示す。
【００１５】
レンズユニット４には、レンズ側マウント部８が設けられており、このレンズ側マウント部８には、３個のレンズ側バヨネット爪９ａ〜ｃ（図３参照）が一体に設けられるとともに、後述する保護カバー１０などを備えている。
【００１６】
カメラボディ３の前面には、ボディ側マウント部１１が設けられている。ボディ側マウント部１１には、レンズ側バヨネット爪９ａ〜ｃに対応したバヨネット爪１２ａ〜ｃが一体に形成されており、さらに、ボディ側マウント部１１の内側には、コイルバネ１５（図７参照）によって前方に付勢されたマウント蓋１４が設けられており、レンズユニット非装着時におけるカメラボディ３内部への塵埃の侵入を防止する。
【００１７】
また、ボディ側マウント部１１の近傍には、ロック解除ボタン１６が設けられている。ロック解除ボタン１６は、レンズユニット４を取り外す際に操作されるものであり、押圧操作することによってレンズユニット４のロックを解除することができる。
【００１８】
カメラボディ３の上面には、撮影時に押圧操作されるレリーズボタン１８と、撮影／再生モードなどの切替え時に操作されるモード操作部１９などが設けられている。また、カメラボディ３の前面には、ストロボ２２が設けられている。
【００１９】
レンズユニット４は、図３及び図４に示すように、鏡胴部６及びレンズ側マウント部８からなる。鏡胴部６は、その内部に撮影レンズ２４（図２参照）及びＣＣＤ（撮像素子）２５、及びこのＣＣＤ２５を駆動させるための駆動回路などが設けられた撮像素子実装基板２６（図４参照）などが組み込まれている。
【００２０】
レンズ側マウント部８は、詳しくは図３に示すように、マウント本体２９、接点基板３０、回転軸部材３１、保護カバー１０、押え板３２、及び止めネジ３３などからなる。マウント本体２９は、鏡胴部６の後端部と一体に設けられている。このマウント本体２９は、ベース部３６と、このベース部３６の略中央に位置する円筒部３７と、円筒部３７の外周から突出するバヨネット爪９ａ〜ｃとが一体に設けられている。なお、本実施形態においては、レンズ側マウント部８に３個のバヨネット爪を設けているが、本発明はこれに限るものではなく、バヨネット爪の個数は２個あるいは４個でもよい。また、バヨネット爪９ａ〜ｃのうち、１つのバヨネット爪９ａには、その一端部に抜け止め突起部９ｄが設けられている。
【００２１】
ベース部３６は、略円盤型の板状に形成されており、係合穴（図示せず）が形成されている。この係合穴は、レンズユニット４のカメラボディ３への装着時にロックピン６２と係合する。バヨネット爪９ａ〜ｃは、円筒部３７の外周面から突出するように配されており、円筒部３７の後端面からバヨネット爪９ａ〜ｃへと連続して切り欠かれた開口部３８が形成されている。開口部３８は、円筒部３７の外形よりも一回り小さい円形状のまわりからバヨネット爪９ａ〜ｃに合わせた３つの扇形状が突出する形状となっている。また、開口部３８の内部には、３つのネジ穴３９が形成されている。
【００２２】
接点基板３０は、図３に示すように、マウント本体２９の開口部３８に合わせた形状となっており、後述するように開口部３８に嵌め込まれ、マウント本体２９に固定される。この接点基板３８は、中央の円盤部４１と、この円盤部４１から突出する突出部４２ａ〜ｃからなる。突出部４２ａ〜ｃは、バヨネット爪９ａ〜ｃにそれぞれ嵌め込まれる。この突出部４２ａ〜ｃには、接点群４５ａ〜ｃがそれぞれ実装されている。また、接点基板３０には、ネジ穴４６が形成されている。接点群４５ａ〜ｃは、接点基板３０に実装された複数（本実施形態では８個）の接点からなり、レンズユニット４をカメラボディ３に装着させるときの回転方向Ａに沿って並列に配置されている。なお、接点の個数はこれらに限らず、適宜変更してもよい。
【００２３】
回転軸部材３１は、後述する押え板３２及び接点基板３０とともにマウント本体２９に固定される。この回転軸部材３１は、接点基板３０と保護カバー１０の間に挟まれて組み込まれ、接点基板３０に面する側の外周面３１ａの直径が大きく、保護カバー１０に面する側の外周面３１ｂの直径がそれよりも小さくなっている段差付きの略円盤状に形成されている。また、回転軸部材３１には、保護カバー１０の厚みに合わせたスペーサー突起部４７が約１２０°の略等角度間隔で形成されている。さらにまた、回転軸部材３１には、スペーサー突起部４７の中心を通って貫通されたネジ穴４８が形成されている。
【００２４】
保護カバー１０は、接点基板３０に合わせた外形で、接点基板３０の円盤部４１に合わせた円盤部５１と、接点基板３０の突出部４２ａ〜４２ｃの位置に合わせた接点カバー部５２ａ〜ｃとが一体となって、接点基板３０よりも１回り大きく形成されている。保護カバー１０の円盤部５１には、回転軸部材３１の外周面３１ａに合わせた開口部５３と、この開口部５３から反対側の面まで貫通され、回転軸部材３１のスペーサー突起部４７ａの位置に合わせて形成された回転規制穴５４とが形成されている。回転規制穴５４は扇形状に形成されており、その内部をスペーサー突起部４７が移動し、回転規制穴５４の両端部にスペーサー突起部４７が当接することによって、保護カバー１０の回転角度を規制する。
【００２５】
保護カバー１０は、回転軸部材３１の外周面３１ｂに開口部５３を嵌合させることによって回転自在に支持される。さらにスペーサー突起部４７及び回転規制穴５４によって回転角度が規制されることで、保護カバー１０の接点カバー部５２ａ〜ｃが、接点基板３０の突出部４２ａ〜ｃをそれぞれ覆い隠す閉じ位置（図５（Ａ）に示す位置）と、接点カバー部５２ａ〜ｃが突出部４２ａ〜ｃの間にそれぞれ位置する開放位置〈図５（Ｂ）に示す位置）との間で移動自在になっている。これによって、保護カバーが閉じ位置にあるときには、接点カバー部５２ａ〜ｃが接点群４５ａ〜ｃを覆い隠し、開放位置にあるときには、接点群４５ａ〜ｃを露呈させることができる。
【００２６】
押え板３２は、保護カバー１０の円盤部５１に合わせた大きさの薄板状に形成されており、ネジ穴５６が形成されている。レンズ側マウント部８は、接点基板３０、回転軸部材３１、保護カバー１０を、マウント本体２９及び押え板３２の間に挟み込み、ネジ穴３９、４６、４８、５６に止めネジ３３を螺合させて共締めすることによって組み立てられる。なお、回転軸部材３１のスペーサー突起部４７が押え板３２に当接することで、回転軸部材３１と押え板３２との間に軸方向の隙間が形成される。これにより、回転軸部材３１と押え板３２との間に位置する保護カバー１０の回転を妨げないようになっている。
【００２７】
ボディ側マウント部１１は、詳しくは図６及び図７に示す構成となっており、ベース部５８と、このベース部５８と一体に形成されたバヨネット爪１２ａ〜ｃと、べース部５８の背面側に配された係合部５９、及びマウント蓋１４、付勢バネ１５を備えている。なお、図６においては、図面の煩雑化を防ぐため、マウント蓋１２を後退した状態で図示しているが、通常時はマウント蓋１２がベース部５８の開口部５８ａを塞ぐように位置し、内部が露呈しないようになっている。また、図６においてはマウント部１２の内側を表すためにバヨネット爪１２ｃの一部を切り欠いて図示している。
【００２８】
ベース部５８は、略中央に開口部５８ａが配された略円環状に形成されており、カメラボディ３の外装カバー３ａにネジ止めなどによって固定されている。バヨネット爪１２ａ〜ｃは、ベース部５８の開口部５８ａから内側へ突出するように配されている。また、ベース部５８には、ロックピン６２が設けられている。ロックピン６２は、ベース部５８に形成されたガイド穴５８ｂから出没自在に設けられおり、レンズユニット４がボディ側マウント部１１に装着されたときに、レンズ側マウント部８に形成された係合穴に係合してレンズユニット４の装着をロック状態にする。
【００２９】
係合部５９は、ベース部５８の後方に配置されている。この係合部５９には、詳しくは図７に示すように、端子基板６３ａ〜６３ｃが一体に設けられている。この係合部５９は、略円筒形で後端側が底板６４で塞がれた形状に形成されている。端子基板６３ａ〜６３ｃは、係合部５９の内周面に配されており、端子群６５ａ〜６５ｃがそれぞれ実装されている。端子群６５ａ〜６５ｃは、それぞれバヨネット爪１２ａ〜ｃの位置に合わせて配置されており、ボディ側マウント部１１を正面から見たとき、バヨネット爪１２ａ〜ｃに重なって隠れるように設けられている。なお、端子群６５ａ〜６５ｃ、及びこれらを実装する端子基板の構成はこれに限るものではなく、例えば、端子基板は、一枚だけの構成とし、この一枚の端子基板に３つの端子群を実装するようにしてもよいし、さらに係合部５９の内部ではなく、背面側などに端子基板を配置し、そこに実装した端子群が係合部を貫通して内部へ突出するように形成するようにしてもよい。
【００３０】
さらに、係合部５９は、レンズ側マウント部８の保護カバー１０に合わせた形状、すなわち、保護カバー１０の外周に合わせた内周面で、且つ端子基板６３ａ〜６３ｃの隙間が保護カバー１０の接点カバー部５２ａ〜ｃの周方向の長さに合わせるように配置されており、レンズ側マウント部８をボディ側マウント部１１の内部へ挿入すると、保護カバー１０が係合部５９に係合するようになっている。
【００３１】
また、マウント蓋１４は、ベース部５８及び係合部５９の間に位置し、係合部５９との間に配された付勢バネ１５によって、ベース部５８に向かって付勢されている。
【００３２】
図８にカメラシステム２の電気的構成を示す。撮影レンズ２４の後方には、ＣＣＤ２５が配置されており、ＣＣＤ２５の前方には、シャッタ機構や、絞り機構（図示せず）などが配置されている。
【００３３】
ＣＣＤ２５は、ＣＣＤドライバ７３に接続されており、ＣＣＤドライバ７３を介してレンズユニット用システム制御部７１（以下、システム制御部７１）によって駆動を制御される。ＣＣＤ２５は、光学的な被写体画像を電気的な撮像信号に変換して出力する。撮像信号はアンプ７４で適当なレベルに増幅された後、Ａ／Ｄ変換回路７５によってデジタル変換されて画像データとなる。この画像データは、シリアルドライバ７６を介してカメラボディ３側へと送信される。システム制御部７１では、カメラ本体用システム制御部８５（以下、システム制御部８５）からの指令に基づいてレンズユニット４側の撮影処理を管制している。
【００３４】
レンズユニット４からの画像データは、シリアルドライバ７７を介してメモリ７８に書き込まれる。信号処理部７９は、メモリ７８から画像データを読み出し、階調変換、ホワイトバランス補正、γ補正等の各種画像処理を施す。画像処理が施された画像データはＬＣＤドライバ７０へ入力され、ＬＣＤ２０に画像として表示される。撮影された画像はＬＣＤ２０にスルー画として表示される。モード操作部１９を操作して再生モードに設定すると、記録メディア８３に記録した画像をＬＣＤ２０に表示したり、撮影設定条件をＬＣＤ２０に表示することができる。
【００３５】
レリーズボタン１２が押圧操作されたときには、メディアコントローラ８２の制御によって、画像処理が施された画像データが記録メディア８３に記録される。また、レリーズボタン１８が押圧操作されると、撮影環境からの光量に応じてストロボ１８が駆動される。システム制御部８５は、システム制御部７１に指令を送るとともに、カメラ本体側の撮影処理、画像表示処理、記録処理等を管制している。システム制御部８５には、レリーズボタン１８、モード操作部１９、電源スイッチ２１が接続されている。
【００３６】
また、カメラボディ３にはバッテリ８６が配置され、カメラボディ３の各部に電力を供給している。さらにまた、レンズユニット４はサブバッテリ８７を備えており、接点群４５ａ〜ｃ、接続端子群５４ａ〜ｃを介してカメラボディ３側のメインバッテ８６と、レンズユニット４側のサブバッテリ８７とが接続され、メインバッテリ８６からサブバッテリ８７に電力が供給され、さらにサブバッテリ８７からレンズユニット４の各部に電力が供給される。
【００３７】
上記構成の作用について以下に説明する。レンズユニット３の非装着時、保護カバー１０は、閉じ位置となっており、接点群４５ａ〜ｃが覆い隠されている。そしてレンズユニット４をカメラボディ３に装着させるときは、レンズ側バヨネット爪９ａ〜ｃを、ボディ側バヨネット爪１２ａ〜ｃの間に位置に合わせて開口部５８ａからボディ側マウント部１１の内部へ挿入する。このときレンズユニット４からの押圧を受けたマウント蓋１４は、付勢バネ１５の付勢に抗して後退し、レンズユニット４の移動を妨げないようになっている。レンズ側マウント部８のベース部３６と、ボディ側マウント部１１のベース部５８が接触するまで挿入させると、保護カバー１０がボディ側マウント部１１の内部まで到達し、係合部５９に保護カバー１０が係合される（図４（Ａ）に示す状態）。そしてこの係合状態を保持したまま、レンズユニット４を反時計方向（回転方向Ａ）に所定角度回転させると、レンズ側バヨネット爪９ａ〜ｃとボディ側バヨネット爪１２ａ〜ｃが互いに噛み合うとともに、係合部５９との係合によって回転が規制された保護カバー１０が閉じ位置から開放位置となって接点群４５ａ〜ｃが露呈して端子群６５ａ〜６５ｃと接触状態となり、電気信号の授受が可能となる。さらに、ロックピン６２がベース部３６の係合穴に係合してロック状態となりレンズユニット４がカメラボディ３に装着される。レンズユニット４が装着状態となった後、ユーザーはモード操作部１９を操作して撮影モードを選択して撮影動作を行うことができる。
【００３８】
一方、デジタルカメラ２の使用後、レンズユニット４をカメラボディ３から取り外すときには、先ず、ロック解除ボタン１６を押圧してロックピン６２による係合を解除してから、レンズユニット４を装着時とは逆の時計方向に所定角度回転させると、レンズ側バヨネット爪９ａ〜ｃとボディ側バヨネット爪１２ａ〜ｃとの噛み合いが解除されるとともに、保護カバー１０が開放位置から閉じ位置に戻り、ボディ側マウント部１１からレンズユニット４が離脱可能な状態となる。そして、ボディ側バヨネット爪１２ａ〜ｃの間からレンズユニット４を離脱させると、レンズユニット４は非装着状態となる。
【００３９】
このように、レンズユニット４の非装着時には、接点群４５ａ〜ｃが保護カバー１０に覆い隠されることによって保護されており、レンズユニット４をカメラボディ３に装着する時には、保護カバー１０が閉じ位置から開放位置に移動して、接点群４５ａ〜ｃがカメラボディ３側の端子群６５ａ〜６５ｃと接触することができるため、カメラボディ３との接続時にレンズユニット４から保護カバー１０を取り外す必要がない。よって、保護カバー１０を紛失したり、間違えたりすることもなく、装着動作を容易に行うことができる。
【００４０】
なお、上記実施形態においては、レンズユニット４の非装着時には、保護カバー１０は開放位置から閉じ位置への移動が自由な状態となっており、開放位置から閉じ位置へ戻すためには、ユーザーが指などを使って手動で行わなければならないが、本発明はこれに限るものではなく、図９に示すように、保護カバーを付勢する付勢部材を備えることによって、保護カバーを閉じ位置に復帰させるようにしてもよい。なお、この図９に示す例では、上記実施形態と同様の部品を用いるものについては、同符号を付して説明を省略する。図９に示すレンズユニット１００は、鏡胴部６及びレンズ側マウント部１０１からなり、レンズ側マウント部１０１は、マウント本体２９、接点基板３０、回転軸部材１０４、保護カバー１０５、付勢バネ（付勢部材）１０６、押え板３２、及び止めネジ３３などからなる。回転軸部材１０４は、上記実施形態と同様に、接点基板３０に面する側の外周面１０４ａの直径が大きく、保護カバー１０５に面する側の外周面１０４ｂの直径がそれよりも小さくなっている段差付きの略円盤状に形成され、スペーサー突起部４７及びネジ穴４８とを有する。さらに、回転軸部材１０４には、取付軸１０４ｃと、挿入穴１０４ｄとが形成されている。付勢バネ１０６は、例えば捻りコイルバネを使用しており、略中央のリング部分１０６ａが取付軸１０４ｃに支持され、一方の端部１０６ｂが挿入穴１０４ｃに挿入され、他方の端部は、後述する保護カバー１０５の挿入溝１０７ｂに挿入される。なお、付勢部材としては、捻りコイルバネに限らず保護カバー１０５を付勢するものであればよく、板バネなどでもよい。
【００４１】
保護カバー１０５は、円盤部１０７と、接点カバー部５２ａ〜ｃとが一体となって、接点基板３０よりも１回り大きく形成されている。円盤部１０７には、開口部５３、及び回転規制穴５４が形成されており、回転軸部材１０４の外周面１０４ｂに開口部５３を嵌合させることによって回転自在に支持される。この保護カバー１０５の円盤部１０７には、さらに開口部１０７ａと、挿入溝１０７ｂとが形成されている。そして、開口部１０７ａには付勢バネ１０６のリング部分１０６ａが通され、挿入溝１０７ｂには付勢バネ１０６の端部１０６ｂが挿入されることによって、保護カバー１０は付勢バネ１０６から閉じ位置に向かう方向（回転方向Ｂ）に付勢力を受ける。なお、図１０には、レンズユニット１００の保護カバー１０４が閉じ位置（図１０（Ａ）に示す状態）及び開放位置（図１０（Ｂ）に示す状態）にある状態をそれぞれ図示しており、保護カバー１０５の状態を示しやすくするために押え板３２の一部を切り欠いて図示している。
【００４２】
上記構成のレンズユニット１００は、非装着時には保護カバー１０５が付勢バネ１０６の付勢を受けて閉じ位置に停止している（図１０（Ａ）に示す状態）。そしてレンズユニット１００をカメラボディ３に装着する場合、先ずは、レンズ側バヨネット爪９ａ〜ｃを、ボディ側バヨネット爪１２ａ〜ｃの間に位置に合わせて開口部５８ａからボディ側マウント部１１の内部へ挿入すると、上記実施形態と同様に、保護カバー１０５が係合部５９に係合する。次にレンズユニット１００を所定角度回転させると、係合部５９との係合によって回転が規制された保護カバー１０５が付勢バネ１０６の付勢に抗して閉じ位置から開放位置に移動する（図１０（Ｂ）に示す状態）。これによって、接点群４５ａ〜ｃが露呈して端子群６５ａ〜６５ｃと接触状態となり、電気信号の授受が可能となる。
【００４３】
一方、レンズユニット１００をカメラボディ３から取り外すときには、上記実施形態と同様に、レンズユニット１００を装着時とは逆の時計方向に所定角度回転させると、レンズ側バヨネット爪９ａ〜ｃとボディ側バヨネット爪１２ａ〜ｃとの噛み合いが解除されるとともに、保護カバー１０５が開放位置から閉じ位置に戻り、ボディ側マウント部１１からレンズユニット１００を離脱させることができる。
【００４４】
さらに、保護カバー１０５を付勢バネ１０６によって閉じ位置に付勢しているから、上記実施形態の効果に加えて、レンズユニット１００が非装着状態のとき、保護カバー１０５が開放位置にずれてしまった場合でも、付勢バネ１０６の付勢によって閉じ位置に戻ることができるため、より確実に接点群４５ａ〜ｃを保護することができる。
【００４５】
また、上記実施形態においては、レンズユニットの非装着時には、保護カバーが閉じ位置から開放位置に自由に移動するようになっているが、本発明はこれに限るものではなく、図１１に示す例のように、非装着時には、保護カバーを閉じ位置にロック状態として開放位置への移動を規制する構成としてもよい。なお、この図１１に示す例では、上記実施形態と同様の部品を用いるものについては、同符号を付して説明を省略する。図１１に示すレンズユニット１１０は、鏡胴部６及びレンズ側マウント部１１１からなり、レンズ側マウント部１１１は、マウント本体２９、接点基板３０、回転軸部材１１４、保護カバー１１５、ロック部材１１６、付勢バネ１１７、押え板１１８、及び止めネジ３３などからなる。回転軸部材１１４は、上記実施形態と同様に、接点基板３０に面する側の外周面１１４ａの直径が大きく、保護カバー１０に面する側の外周面１１４ｂの直径がそれよりも小さくなっている段差付きの略円盤状に形成され、スペーサー突起部４７及びネジ穴４８とを有する。さらに、回転軸部材１１４には、略中央に取付ボス１１４ｃが一体に設けられている。取付ボス１１４ｃには、嵌合穴１１４ｄ及びキー突起部１１４ｅが形成されている。ロック部材１１６は、回転軸部材１１４の嵌合穴１１４ｄに合わせた略円盤型の外形で、キー溝１１６ａ及び被押圧突起部１１６ｂ、及び挿入穴１１６ｃ（図１２参照）が形成されている。このロック部材１１６は、キー溝１１６ａの位置をキー突起部１１４ｅの位置に合わせて嵌合穴１１４ｄに嵌合する。これによって、ロック部材１１６は、回転軸部材１１４の内部を軸方向に沿って移動自在、且つ周方向の回転が規制された状態となる。
【００４６】
保護カバー１１５は、円盤部１１９と、接点カバー部５２ａ〜ｃとが一体となって、接点基板３０よりも１回り大きく形成され、円盤部１１９には、開口部５３、及び回転規制穴５４が形成されており、回転軸部材１１４の外周面１１４ｂに開口部５３を嵌合させることによって回転自在に支持される。この保護カバー１０５の円盤部１１９には、さらに、開口部１１９ａと、キー突起部１１９ｂとが形成されている。これらの開口部１１９ａ及びキー突起部１１９ｂは、回転軸部材１１４の嵌合穴１１４ｄ及びキー突起部１１４ｅの位置に合わせて形成されており、回転軸部材１１４の嵌合穴１１４ｄからロック部材１１６が突出したとき、開口部１１９ａの内部に進入するとともに、キー溝１１６ａとキー突起部１１９ｂとが係合して保護カバー１１５の回転を規制する。これらキー溝１１６ａとキー突起部１１９ｂとが係合する位置は、保護カバー１１５が閉じ位置となっているときの位置に合わせて形成されている。よって、ロック部材１１６が回転軸部材１１４から突出する突出位置にあるときには、保護カバー１１５は閉じ位置にロックされた状態となる。
【００４７】
付勢バネ１１７は、ロック部材１１６の挿入穴１１６ｃに挿入され、ロック部材１１６を回転軸部材１１４から突出する方向へ付勢する。なお、付勢バネ１１７としてはコイルバネなどが使用される。押え板１１８は、ロック部材１１６の被押圧突起部１１６ｂが露呈する開口１１８ａと、ネジ穴５６とが形成されている。付勢バネ１１７の付勢を受けたロック部材１１６は、押え板１１８によって押えられるため、回転軸部材１１４から離脱しないようになっている。また、非装着状態のとき、ロック部材１１６の被押圧突起部１１６ｂは、開口１１８ａからその先端部が突出している。そして、ロック部材１１６は、被押圧突起部１１６ｂを押圧されると、回転軸部材１１４の内部に押し込まれて、保護カバー１１５のキー溝１１６ａとキー突起部１１９ｂとの係合が解除される。これによって、保護カバー１１５の閉じ位置のロック状態が解除され、開放位置への移動が許容される。
【００４８】
上記構成のレンズユニット１１０は、非装着時には保護カバー１１５がロック部材１１６によって閉じ位置にロックされた状態となっている（図１２（Ａ）に示す状態）。そしてレンズユニット１１０をカメラボディ３に装着する場合、先ず、レンズ側バヨネット爪９ａ〜ｃを、ボディ側バヨネット爪１２ａ〜ｃの間に位置に合わせて開口部５８ａからボディ側マウント部１１の内部へ挿入すると、上記実施形態と同様に、保護カバー１１５が係合部５９に係合するとともに、マウント蓋１４と当接した被押圧突起部１１６ｂが押圧を受けて回転軸部材１１４の内部に押し込まれる（図１２（Ｂ）に示す状態）。これによって、ロック部材１１６による保護カバー１１５のロックが解除されるため、開放位置への回転が許容される。次にレンズユニット１１０を所定角度回転させると、係合部５９との係合によって回転が規制された保護カバー１１５が閉じ位置から開放位置に移動する。これによって、接点群４５ａ〜ｃが露呈して端子群６５ａ〜６５ｃと接触状態となり、電気信号の授受が可能となる（図１２（Ｃ）に示す状態）。
【００４９】
一方、レンズユニット１１０をカメラボディ３から取り外すときには、上記実施形態と同様に、レンズユニット１１０を装着時とは逆の時計方向に所定角度回転させると、レンズ側バヨネット爪９ａ〜ｃとボディ側バヨネット爪１２ａ〜ｃとの噛み合いが解除されるとともに、保護カバー１１５が開放位置から閉じ位置に戻り、ボディ側マウント部１１からレンズユニット１１０を離脱させることができる。このレンズユニット１１０ボディ側マウント部１１から離脱させるとき、被押圧突起部１１６ｂはマウント蓋１４から離れて押圧を受けなくなるため、ロック部材１１６は付勢バネ１１７の付勢力によって突出位置に復帰し、保護カバー１１５を閉じ位置にロックする。このように、非装着時には、保護カバー１０５を閉じ位置にロックするから、上記実施形態の効果に加えて、さらに確実に接点群４５ａ〜ｃを保護することができる。
【００５０】
また、本発明では、上記実施形態の構成に加えて、図１３及び図１４に示すように、閉じ位置と開放位置とでクリック感を与える構成とし、ユーザーにレンズユニットの装着状態を認識させることもできる。なお、この図１３に示す例では、上記実施形態と同様の部品を用いるものについては、同符号を付して説明を省略する。図１３に示すレンズユニット１２０は、鏡胴部６及びレンズ側マウント部１２１からなり、レンズ側マウント部１２１は、マウント本体２９、接点基板３０、回転軸部材１２４、保護カバー１２５、クリックボール１２６、付勢バネ１２７、押え板３２、及び止めネジ３３などからなる。回転軸部材１２４は、上記実施形態と同様に、接点基板３０に面する側の外周面１２４ａの直径が大きく、保護カバー１２５に面する側の外周面１２４ｂの直径がそれよりも小さくなっている段差付きの略円盤状に形成され、スペーサー突起部４７及びネジ穴４８とを有する。さらに、回転軸部材１２４には、２箇所のクリック溝１２８ａ，１２８ｂとが形成されている。クリック溝１２８ａ，１２８ｂは、クリックボール１２６及び付勢バネ１２７とともに、クリック機構を構成する。
【００５１】
保護カバー１２５は、円盤部１２９と、接点カバー部５２ａ〜ｃとが一体となって、接点基板３０よりも１回り大きく形成され、円盤部１２９には、開口部５３、及び回転規制穴５４が形成されており、回転軸部材１２４の外周面１２４ｂに開口部５３を嵌合させることによって回転自在に支持される。この保護カバー１２５の円盤部１２９には、さらに、挿入穴１２９ａが形成されている。挿入穴１２９ａは、クリック溝１２８ａ，１２９ｂに半径方向の位置を合わせている。
【００５２】
クリックボール１２６及び付勢バネ１２７は、挿入穴１２９ａに挿入され、クリックバール１２６が回転軸部材１２４に面する側に、付勢バネ１２７が押え板３２に面する側に位置しており、回転軸部材１２４及び押え板３２に押えられるため外部に離脱しないようになっている。付勢バネ１２７としては例えばコイルバネを使用する。クリックボール１２６は、付勢バネ１２７からの付勢を受けて挿入穴１２９ａから突出する方向へ力を受ける。そして、保護カバー１２５が回転して挿入穴１２９ａがクリック溝１２８ａ，１２８ｂと対面する位置に到達すると、クリックボール１２６は、付勢バネ１２７からの付勢力によって、クリック溝１２８ａ，１２８ｂへと突出する。また、クリック溝１２８ａ，１２８ｂと対面する位置以外のときには、クリックボール１２６は、回転軸部材１２４から押圧されて挿入穴１２９ａの内部に押し込まれる。そして、クリック溝１２８ａ，１２８ｂは、保護カバー１２５がそれぞれ閉じ位置及び開放位置となるときにクリックボール１２６が進入する位置となるように形成されている。これによって、保護カバー１２５を閉じ位置及び開放位置としたとき、保護カバー１２５を回転させるユーザーの指などにクリック感を与えることができる。なお、クリック溝１２８ａ，１２８ｂの形状は、矩形溝、Ｖ溝などクリックボール１２６が突出したときにクリック感を生じる形状であればどのようなものでもよい。
【００５３】
上記構成のレンズユニット１２０をカメラボディ３に装着するとき、先ずは、レンズ側バヨネット爪９ａ〜ｃを、ボディ側バヨネット爪１２ａ〜ｃの間に位置に合わせて開口部５８ａからボディ側マウント部１１の内部へ挿入すると、上記実施形態と同様に、保護カバー１０５が係合部５９に係合する。次にレンズユニット１２０を所定角度回転させると、係合部５９との係合によって回転が規制された保護カバー１２５が閉じ位置から開放位置に移動する。これによって、接点群４５ａ〜ｃが露呈して端子群６５ａ〜６５ｃと接触状態となり、電気信号の授受が可能となる。このとき、クリックボール１２６がクリック溝１２８ｂに突出するため、ユーザーにクリック感を与えることができる。そして、レンズユニット１２０をカメラボディ３から取り外すときには、上記実施形態と同様に、レンズユニット１２０を装着時とは逆の時計方向に所定角度回転させると、レンズ側バヨネット爪９ａ〜ｃとボディ側バヨネット爪１２ａ〜ｃとの噛み合いが解除されるとともに、保護カバー１２５が開放位置から閉じ位置に戻り、ボディ側マウント部１１からレンズユニット１１０を離脱させることができる。また、このときクリックボール１２６がクリック溝１２８ａに突出するため、ユーザーにクリック感を与えることができる。このように、保護カバー１２５が開放位置及び閉じ位置となったときにクリック感を与える構成としていることで、ユーザーは、レンズユニット１２０のカメラボディ３への装着完了、及び取り外しの完了をクリック感によって認識することができるため、レンズユニット３の装着動作及び取り外しの動作をさらに容易に行うことができる。
【００５４】
また、本発明では、上記実施形態の構成に加えて、図１５及び図１６に示すように、接点基板のグラウンドパターンを押え板に接地させ、さらにレンズユニットの装着時に、押え板をグラウンド接点部としてカメラボディと接触させることによって、レンズユニットのグラウンドパターンをカメラボディ側に接地させることもできる。なお、この図１５及び図１６に示す例では、上記実施形態と同様の部品を用いるものについては、同符号を付して説明を省略する。図１５及び図１６に示すレンズユニット１３０は、鏡胴部６及びレンズ側マウント部１３１からなり、レンズ側マウント部１３１は、マウント本体２９、接点基板１３３、回転軸部材１３４、接続部材１３５、保護カバー１０、押え板３２、及び止めネジ３３などからなる。なお、この例では、押え板３２と、カメラボディ３のマウント蓋１４としては、金属製の部材を使用している。接点基板１３３は、上記実施形態の接点基板３０の構成に加えて、ネジ穴４６の周囲にグラウンドパターン１３３ａが形成されている。回転軸部材１３４は、上記実施形態と同様に、接点基板１３３に面する側の外周面１３４ａの直径が大きく、保護カバー１０に面する側の外周面１３４ｂの直径がそれよりも小さくなっている段差付きの略円盤状に形成され、スペーサー突起部４７及びネジ穴４８とを有する。さらに、回転軸部材１３４には、取付溝１３４ｃが形成されている。取付溝１３４ｃは、スペーサ突起部４７に近接する位置に形成されており、接続部材１３５が通過可能な幅に形成されている。接続部材１３５は、コの字状に形成された薄板の金属部材であり、取付溝１３４ａから挿入し、スペーサ突起部４７を挟み込んで回転軸部材１３４に取り付けることができる。また、この接続部材１３５は、止めネジ３３が通過される貫通穴１３５ａが形成されている。回転軸部材１３４に取り付けられた接続部材１３５は、その一端部１３５ｂが接点基板１３３のグラウンドパターン１３３ａに接触し、他端部１３５ｃが押え板３２に接触する。これによって、レンズユニット１３０では、接点基板１３３のグラウンドパターンが押え板３２に接地した状態となっている。
【００５５】
上記構成のレンズユニット１３０をカメラボディ３に装着するとき、先ずは、レンズ側バヨネット爪９ａ〜ｃを、ボディ側バヨネット爪１２ａ〜ｃの間に位置に合わせて開口部５８ａからボディ側マウント部１１の内部へ挿入すると、上記実施形態と同様に、保護カバー１０が係合部５９に係合する。このとき、グラウンド接点部としての押え板３２がマウント蓋１４に接触しているため、接点基板１３３のグラウンドパターン１３３ａは、接続部材１３５、及び押え板３２を介してマウント蓋１４と電気的に接続される。よって接点基板１３３のグラウンドパターン１３３ａは、カメラボディ３側に接地されることになるため、接点基板１３３が静電気に帯電しているときなどでも、余計な電気をカメラボディ側へ流すことができるから、レンズユニットの装着時に静電気の影響を防ぎ、容易に装着動作を行うことができる。また、レンズユニット１３０とカメラボディ３との電気信号の授受を行うときに、静電気に起因するノイズの影響を避けることができる。なお、図１５及び図１６に示す例では、押え板３２を、接点基板のグラウンドパターンと接続するグラウンド接点部として使用しているが、本発明はこれに限るものではなく、押え板３２をグラウンド以外の信号パターンと接続し、カメラボディ側との電気信号の授受に使用するようにしてもよいし、押え板３２以外にグラウンド接点部を構成する部材を別に設けて接点基板のグラウンドパターンなどと接続するようにしてもよい。
【００５６】
また、本発明では、上記実施形態形態の構成に加えて、図１７及び図１８に示すような接点部と接触してクリーニングする接触突起部（接触部）を設ける構成としてもよい。この図１７及び図１８に示すレンズユニット１４０では、保護カバー１０に矩形状の接触突起部（接触部）１４５を一体に形成している。なお、図１７においては、接触突起部１４５の位置を明らかにするために、接点カバー部の一部分を切り欠いて図示している。接触突起部１４５は、保護カバー１０が閉じ位置にあるときに、接点群４５ａと接触する位置に配されている。よって、保護カバー１０が閉じ位置から開放位置へ、また開放位置から閉じ位置へと移動したときに、接点群４５ａの表面と摺動し、接点群４５ａの表面に付着した酸化皮膜などの異物を除去することができる。なお、図１７及び図１８に示す例では、矩形状の接触突起部が接点部に接触する構成を示しているが、これに限らず、接点部と接触可能であればどのような形状でもよい。
【００５７】
また、本発明では、上記実施形態の構成に加えて、図１９及び図２０に示すように、レンズユニット及びカメラボディに誘い込みのテーパー部、及び位置合せの凹凸部を設ける構成とすることによって、レンズユニットをカメラボディに対して正確に位置決めして装着動作を行うことができる。なお、この図１９及び図２０に示す例では、上記実施形態と同様の部品を用いるものについては、同符号を付して説明を省略する。図１９に示すデジタルカメラシステム１５０は、カメラボディ１５１及びレンズユニット１５２からなる。レンズユニット１５２の保護カバー１０には、各接点カバー部５２ａ〜ｃから後方へ突出する円周状のリブ１５４ａ〜１５４ｃがそれぞれ一体に形成されている。リブ１５４ａ〜１５４ｃは、後方にいくにしたがってその断面積が徐々に漸減するように、その外周にテーパー面１５５ａ〜１５５ｃが形成されている。また、１箇所のリブ１５４ａには、その誘い込みテーパー面１５５ａから外側へ向かって突出する位置合わせ突起部１５６が一体に形成されている。
【００５８】
そしてカメラボディ１５１のマウント蓋１４には、レンズユニット１５２のリブ１５４ａ〜１５４ｃの外周の位置に合わせてリブ１５７ａ〜１５７ｃが一体に形成されている。このリブ１５７ａ〜１５７ｃの内周面には、リブ１５４ａ〜１５４ｃのテーパー面１５５ａ〜１５５ｃに合わせて傾斜したテーパー面１５８ａ〜１５８ｃが形成されている。また、１箇所のリブ１５７ａには、テーパー面１５８ａの一部を切り欠くように形成された切り欠き部１５９が形成されている。この切り欠き部１５９は、レンズユニット１５２の位置合わせ突起部１５６に合わせて形成されている。
【００５９】
上記構成のデジタルカメラ１５０で、レンズユニット１５２をカメラボディ１５１に装着させるときには、レンズユニット１５２のテーパー面１５５ａ〜１５５ｃを、カメラボディ１５１のテーパー面１５８ａ〜１５８ｃに合わせるようにして押し付ける。このとき、テーパー面１５５ａ〜１５５ｃ及びテーパー面１５８ａ〜１５８ｃが形成されていることによって、マウント蓋１４の中心にレンズユニット１５２の中心を合わせるようにして装着動作を行うことができる。さらにレンズユニット１５２の位置合わせ突起部１５６を切り欠き部１５９の位置に合わせて嵌合させると、レンズユニット１５２のバヨネット爪９ａ〜ｃの位置が、開口部５８ａの所定位置に合うように、すなわち、バヨネット爪９ａ〜ｃの位置が、バヨネット爪９ａ，９ｂの間、バヨネット爪９ｂ，９ｃの間、バヨネット爪９ｃ，９ａの間の位置にそれぞれ合うようになっており、このままレンズユニット１５２を押し込むと、保護カバー１０が係合部５９に係合する。以降は上記実施形態と同様に所定角度回転させることでレンズユニット１５２は装着状態となる。このように、誘い込み用のテーパー及び位置合わせの突起、切り欠き部を形成することによって、ボディ側マウント部に対するレンズユニットの位置決めを簡単に行うことができ、装着動作をさらに簡単にすることができる。
【００６０】
なお、上記実施形態では、レンズユニットの内部に撮像素子を内蔵し、この撮像素子で取得した画像データを接点部を介してカメラボディへ転送するカメラシステムについて例示しているが、本発明はこれに限るものではなく、レンズユニットに撮像素子を内蔵せず、カメラボディに内蔵した撮像素子または銀塩フイルムに記録を行うカメラシステムにも適用することができる。この場合、図２１に示すレンズユニット１６０のように、保護カバー１０及びレンズ側マウント部８に、撮影レンズ２４を露呈させる開口１６１及び開口１６２を形成し、この開口を通して撮影光をカメラボディへ導く構成とする。これによって、銀塩フイルムのカメラシステムや、カメラボディ側に撮像素子を内蔵するカメラシステムに使用するレンズユニット１６０でも上記実施形態と同様に接点部を保護カバーによって保護し、且つカメラボディへの装着動作を容易に行うことができる。
【００６１】
上記実施形態では、レンズユニットが着脱自在なレンズ交換式のデジタルカメラを用いて説明を行ったが、これに限らず、カメラボディとマウント部によって接続を行ない、そのマウント部に設けた接点及び接続端子を介して電気信号の送受信を行う付属機器であれば良く、例えば、カメラボディ側に保存されたデータを取り込み、内部に組み込まれたハードディスクなどに記憶させる記憶装置や、無線でデータを送受信し、そのデータをカメラボディ側に保存したり、またカメラボディ側のデータを別の電子機器に送ったりする無線ユニットや、レンズユニットとカメラボディとの間に挟まれて固定される中間アダプタなどにも本発明を適用することができる。さらには、デジタルカメラ以外のカメラ、例えば、ビデオカメラにおいても本発明を適用することができる。
【図面の簡単な説明】
【００６２】
【図１】本発明を実施したデジタルカメラでレンズユニットを装着状態としたときの外観斜視図である。
【図２】レンズユニットを取り外した状態のデジタルカメラの外観斜視図である。
【図３】レンズユニットの分解斜視図である。
【図４】レンズユニットをカメラボディへ装着するときの状態を示す説明図である。
【図５】レンズユニットの保護カバーを閉じ位置及び開放位置とした状態を示す斜視図である。
【図６】ボディ側マウント部の斜視図である。
【図７】ボディ側マウント部の構成を示す分解斜視図である。
【図８】デジタルカメラの電気的構成を示すブロック図である。
【図９】第２の実施形態のレンズユニットの構成を示す分解斜視図である。
【図１０】第２の実施形態のレンズユニットで保護カバーを閉じ位置及び開放位置とした状態を示す斜視図である。
【図１１】第３の実施形態のレンズユニットの構成を示す分解斜視図である。
【図１２】第３の実施形態のレンズユニットの保護カバーがロック状態からロック解除状態となるときの動作を示す説明図である。
【図１３】第４の実施形態のレンズユニットの構成を示す分解斜視図である。
【図１４】第４の実施形態のレンズユニットの要部断面図である。
【図１５】第５の実施形態のレンズユニットの構成を示す分解斜視図である。
【図１６】第５の実施形態のレンズユニットの要部断面図である。
【図１７】保護カバーに設けたクリーニング用の突起部を示す斜視図である。
【図１８】クリーニング用の突起部を設けたレンズユニットの要部断面図である。
【図１９】誘い込み用のテーパー及び位置決め部を設けたデジタルカメラの一例を示す斜視図である。
【図２０】誘い込み用のテーパー及び位置決め部を用いてレンズユニットを装着するときの説明図である。
【図２１】撮像素子を内蔵しないレンズユニットの一例を示す斜視図である。
【符号の説明】
【００６３】
２，１５０  デジタルカメラ
３，１５１  カメラボディ
４，１００，１１０，１２０，１３０，１４０，１５２  レンズユニット
８，１０１，１１１，１２１，１３１，１４１  レンズ側マウント部
９ａ〜ｃ  レンズ側バヨネット爪
１０  ボディ側マウント部
１２ａ〜ｃ  ボディ側バヨネット爪
２４  撮影レンズ
２５  ＣＣＤ
４５ａ〜ｃ  接点群
６５ａ〜ｃ  端子群
【図１】
2007286201.tif 000003
【図２】
2007286201.tif 000004
【図３】
2007286201.tif 000005
【図４】
2007286201.tif 000006
【図５】
2007286201.tif 000007
【図６】
2007286201.tif 000008
【図７】
2007286201.tif 000009
【図８】
2007286201.tif 000010
【図９】
2007286201.tif 000011
【図１０】
2007286201.tif 000012
【図１１】
2007286201.tif 000013
【図１２】
2007286201.tif 000014
【図１３】
2007286201.tif 000015
【図１４】
2007286201.tif 000016
【図１５】
2007286201.tif 000017
【図１６】
2007286201.tif 000018
【図１７】
2007286201.tif 000019
【図１８】
2007286201.tif 000020
【図１９】
2007286201.tif 000021
【図２０】
2007286201.tif 000022
【図２１】
2007286201.tif 000023